(57)【特許請求の範囲】
【請求項１】
画面および前記画面と反対側の裏面を有するディスプレイと、
前記ディスプレイの前記裏面と対向する主面と、前記主面と前記ディスプレイの前記裏面とを結ぶ側面とを有するバックパネルと、
前記ディスプレイの前記裏面と前記バックパネルの前記主面との間に配置されるフィルム状のスピーカと、
前記スピーカを保持するホルダとを備え、
前記スピーカは、前記バックパネルの前記主面と対向し、かつ、音が出力される側の正面と、前記正面と反対側の背面と、前記正面および前記背面の外周部を囲むフレームとを有し、
前記ホルダは、前記スピーカの前記正面を保持し、かつ、中央部分に放音孔が形成された板状部分と、前記板状部分の周縁部に設けられ、前記スピーカの前記フレームを保持するリブ部分とを含み、前記板状部分を前記バックパネルの前記主面に対して傾斜させて配置し、
前記ホルダの前記板状部分の一部分には、前記スピーカの前記正面と対向する側の主面から前記バックパネルの前記主面と対向する側の主面へ厚さ方向に貫通する貫通孔が形成されており、
前記バックパネルの前記主面の法線方向に沿った、前記貫通孔から前記バックパネルの前記主面までの距離は、前記放音孔から前記バックパネルの前記主面までの距離よりも短い、携帯端末。
【請求項２】
前記携帯端末の下側面が載置面に接するように前記携帯端末を載置した状態において、前記貫通孔は、前記放音孔よりも重力方向下側に位置する、請求項１に記載の携帯端末。
【請求項３】
前記バックパネルの前記主面、前記スピーカの前記正面および、前記ホルダの前記板状部分の各々は、矩形平面であり、
前記バックパネルの前記主面の平面視において、前記板状部分における直交する２辺は、前記バックパネルの前記主面における直交する２辺に対して傾斜しており、
前記板状部分の前記一部分は、前記状態において、前記板状部分を成す矩形平面の４つの頂点のうち、重力方向に対して最も低い頂点を含む、請求項２に記載の携帯端末。
【請求項４】
前記板状部分には、前記バックパネルの前記主面と対向する側の主面上において、一方端が前記貫通孔に連結され、かつ、他方端が前記バックパネルの前記側面に向けて開口する溝部が形成されている、請求項１から３のいずれか１項に記載の携帯端末。
【請求項５】
前記携帯端末の下側面が載置面に接するように前記携帯端末を載置した状態で、前記溝部の他方端は、前記溝部の一方端よりも重力方向下側に位置する、請求項４に記載の携帯端末。
【請求項６】
前記バックパネルの前記側面には、前記溝部の他方端と前記携帯端末の外部とを連通する孔が形成されている、請求項４または５に記載の携帯端末。
【請求項７】
前記スピーカは、前記携帯端末の表面から見て左右に並んで配置された第１および第２のスピーカにより構成され、
前記ホルダは、前記第１のスピーカを保持する第１のホルダと、前記第２のスピーカを保持する第２のホルダとにより構成され、
前記携帯端末の表面から見て前記第１のホルダの前記板状部分の右下端部および前記第２のホルダの前記板状部分の左下端部は、それぞれ、前記バックパネルの前記主面の法線方向における前記板状部分から前記バックパネルの前記主面までの距離が最短となる位置となる、請求項１から５のいずれか１項に記載の携帯端末。
【発明の詳細な説明】
【技術分野】
【０００１】
この発明は、携帯端末に関し、より特定的には、スピーカを内蔵した携帯端末に関する。
【背景技術】
【０００２】
従来、携帯電話、スマートフォン、ＰＤＡ（Personal  Digital  Assistant）、タブレットＰＣ（Personal  Computer）、電子書籍端末などの携帯端末においては、筐体内部にスピーカが搭載されている。そして、筐体の背面または側面には、スピーカの音を筐体外部に放出するための放音孔が設けられている（たとえば、２０１２−２２７８３６号公報（特許文献１）参照）。
【先行技術文献】
【特許文献】
【０００３】
【特許文献１】特開２０１２−２２７８３６号公報
【発明の概要】
【発明が解決しようとする課題】
【０００４】
近年、携帯端末においては、薄型化の要求が高まっている。そのため、スピーカは、一般的に、ディスプレイの背面に実装された基板および電池と、ディスプレイの背面を覆うバックパネルとの間に形成される隙間を利用して搭載されている。
【０００５】
しかしながら、このような携帯端末においては、筐体の放音孔などを通じてこの隙間部分に水分が侵入した場合に、スピーカの表面に水分が付着する可能性がある。スピーカの振動面に水分が付着すると、振動面の振動が抑制されるために音圧が低下する虞がある。
【０００６】
本発明は、このような問題を解決するためになされたものであって、その目的は、スピーカを内蔵した携帯端末において、スピーカの表面に水分が付着してしまうことを抑制することである。
【課題を解決するための手段】
【０００７】
この発明のある局面によれば、携帯端末は、画面および画面と反対側の裏面を有するディスプレイと、ディスプレイの裏面と対向する主面と、主面とディスプレイの裏面とを結ぶ側面とを有するバックパネルと、ディスプレイの裏面とバックパネルの主面との間に配置されるフィルム状のスピーカと、スピーカを保持するホルダとを備える。スピーカは、バックパネルの主面と対向し、かつ、音が出力される側の正面と、正面と反対側の裏面と、正面および裏面の外周部を囲むフレームとを有する。ホルダは、スピーカの正面を保持し、かつ、中央部分に放音孔が形成された板状部分と、板状部分の周縁部に設けられ、スピーカのフレームを保持するリブ部分とを含み、板状部分をバックパネルの主面に対して傾斜させて配置する。ホルダの板状部分の一部分には、スピーカの正面と対向する側の主面からバックパネルの主面と対向する側の主面へ厚さ方向に貫通する貫通孔が形成されている。バックパネルの主面の法線方向に沿った、貫通孔から前記バックパネルの主面までの距離は、放音孔からバックパネルの主面までの距離よりも短い。
【発明の効果】
【０００８】
この発明のある局面によれば、スピーカを内蔵した携帯端末において、内部に浸入した水分を排出することができるため、水分の付着によるスピーカの音圧低下を抑制することができる。
【図面の簡単な説明】
【０００９】
【図１】本実施の形態１に係る携帯端末の外観の一例を示す外観図である。
【図２】携帯端末に内蔵されるフィルムスピーカの構成を示す図である。
【図３】携帯端末の内部構造の概要を示す分解斜視図である。
【図４】図３に示す取付け枠の構造の一例を示す図である。
【図５】取付け枠に部品を取り付ける手順を説明するための図である。
【図６】図５に示す取付け枠にインナシャーシが嵌め込まれた状態の一例を示す図である。
【図７】図６（Ｂ）の線ＶＩＩ−ＶＩＩにおける断面図である。
【図８】本実施の形態１に係る携帯端末におけるスピーカホルダとバックパネルとの位置関係を模式的に示した図である。
【図９】第１スピーカホルダおよび第２スピーカホルダの詳細を示す拡大図である。
【図１０】第１スピーカホルダおよび第２スピーカホルダの詳細を示す拡大図である。
【図１１】図１０の線ＸＩ−ＸＩにおける断面の一部分を示す図である。
【図１２】第２スピーカホルダを裏側から見た状態を示す図である。
【図１３】バックパネルの構造の一例を示す図である。
【図１４】本実施の形態２に係る携帯端末におけるスピーカホルダとバックパネルとの位置関係を模式的に示した図である。
【図１５】本実施の形態２に係る携帯端末におけるスピーカホルダとバックパネルとの位置関係を模式的に示した図である。
【図１６】本実施の形態２に係る携帯端末における取付け枠の構造の一例を示す図である。
【図１７】図１６の線ＸＶＩＩ−ＸＶＩＩにおける断面図である。
【図１８】図１６の線ＸＶＩＩＩ−ＸＶＩＩＩにおける断面図である。
【図１９】第１スピーカホルダおよび第２スピーカホルダの詳細を示す拡大図である。
【図２０】第１スピーカホルダおよび第２スピーカホルダの詳細を示す拡大図である。
【図２１】図２０に示す線ＸＸＩ−ＸＸＩにおける断面の一部分を示す図である。
【図２２】第２スピーカホルダを裏側から見た状態を示す図である。
【図２３】本実施の形態２に係る携帯端末における音響効果を説明する図である。
【発明を実施するための形態】
【００１０】
以下、本発明の実施の形態について図面を参照して詳細に説明する。なお、以下図中の同一または相当部分には同一符号を付して、その説明は原則的に繰返さないものとする。
【００１１】
［実施の形態１］
（携帯端末の全体構成）
図１は、本実施の形態１に係る携帯端末の外観の一例を示す外観図である。本明細書では、携帯端末の一実施の形態としてスマートフォンを想定するが、本発明は、スマートフォンに限られず、ＰＤＡおよびタブレットＰＣなど任意の携帯端末に適用することが可能である。
【００１２】
図１（Ａ）は、携帯端末１０の正面の外観を示し、図１（Ｂ）は、携帯端末１０の背面の外観を示す。携帯端末１０は、扁平矩形の外観を有している。以下、説明の便宜上、図１に示すように、携帯端末１０の主面の長手方向を上下方向と定義し、主面の短手方向を左右方向と定義する。図１（Ａ），（Ｂ）を参照して、携帯端末１０の外観は、フロントパネル１６、取付け枠１４およびバックパネル１２によって形成される。
【００１３】
フロントパネル１６にはタッチパネル２０が一体的に形成されている。フロントパネル１６の裏面には、ディスプレイ１８が貼り付けられている。ディスプレイ１８は、たとえば液晶または有機ＥＬ（Electro  Luminescence）などで構成されている。
【００１４】
携帯端末１０の下側面には、内蔵するマイクに音声を入力するための孔２２と、充電端子（図示せず）に通じる孔２６とが形成されている。孔２６を通じて充電コネクタが充電端子に接続されると、携帯端末１０の二次電池４４（図３参照）に外部電源から電力が供給され、二次電池４４が充電される。
【００１５】
携帯端末１０の正面上側には、音を振動に変換するピエゾ素子（図示せず）が内蔵されている。ピエゾ素子に音声信号が入力されると、ピエゾ素子は音声信号を振動に変換し、ディスプレイ１８（フロントパネル１６）を直接振動させる。これにより、ユーザは、ディスプレイ１８から出力される音声を聞くことができる。なお、このようにして音声が出力されるため、フロントパネル１６には、受話音声を出力するための放音孔は設けられていない。
【００１６】
携帯端末１０の背面には、第１フィルムスピーカ３０ａおよび第２フィルムスピーカ３０ｂ（図３参照）が内蔵されている。以下、第１フィルムスピーカ３０ａおよび第２フィルムスピーカ３０ｂを総称して、「フィルムスピーカ３０」とも記載することもある。第１フィルムスピーカ３０ａおよび第２フィルムスピーカ３０ｂが発する音は、バックパネル１２の裏面に形成された２つの第１放音孔２４ａ、およびバックパネル１２の左右側面に形成された第２放音孔２４ｂから出力される。
【００１７】
たとえば、携帯端末１０において音声通話が開始されると、上記のピエゾ素子の振動によってフロントパネル１６から受話音声が出力される。一方、ユーザの発話音声は、孔２２を通じてマイクに入力され、通話相手の通信端末に送信される。また、他の通信端末からの着信が通知されると、着信音が内蔵されるフィルムスピーカ３０から出力される。なお、本実施の形態に係る携帯端末１０は、２個のフィルムスピーカ３０を内蔵しているため、ステレオ音声を再生することも可能である。
【００１８】
（フィルムスピーカの構成）
図２は、携帯端末１０に内蔵されるフィルムスピーカ３０の構成を示す図である。図２（Ａ）は、フィルムスピーカ３０を正面から見た外観を示し、図２（Ｂ）は、図２（Ａ）の線分ＩＩＢ−ＩＩＢにおける断面図である。
【００１９】
フィルムスピーカ３０は矩形平面であり、厚さはたとえば０．７ｍｍ程度である。フィルムスピーカ３０は、音が出力される面、つまり正面と、正面と反対側の背面とを有する。フィルムスピーカ３０は、矩形のピエゾ素子３２を含む。ピエゾ素子３２は、フィルムスピーカ３０の正面（図２（Ａ））において、略中央となるように樹脂コーティング層３４によってコーティングされている。樹脂コーティング層３４の表面には、樹脂フィルム３６が貼り付けられている。そして、樹脂コーティング層３４および樹脂フィルム３６を支持するためのフレーム３８が、フィルムスピーカ３０の周縁部に設けられている。
【００２０】
ピエゾ素子３２に音声信号が与えられると、ピエゾ素子３２が振動し、その振動が樹脂コーティング層３４および樹脂フィルム３６を含むフィルムスピーカ３０全体に伝わり、フィルムスピーカ３０の正面から音が出力される。なお、フレーム３８は、フィルムスピーカ３０をスピーカホルダ４６ａ，４６ｂ（図４参照）上に固定する際に利用される。
【００２１】
図３は、携帯端末１０の内部構造の概要を示す分解斜視図である。図３を参照して、携帯端末１０は、正面側（図３の上側に相当）から、フロントパネル１６、ディスプレイ１８、インナシャーシ４２、二次電池４４、第１フィルムスピーカ３０ａおよび第２フィルムスピーカ３０ｂ、取付け枠１４、基板４８、連結部材５６およびバックパネル１２の順番で各パーツが取付けられる。
【００２２】
なお、バックパネル１２を取付けることによって、取付け枠１４および基板４８とバックパネル１２との間に閉塞空間が形成される。第１フィルムスピーカ３０ａおよび第２フィルムスピーカ３０ｂからの音は、第１放音孔２４ａおよび第２放音孔２４ｂを通して、この閉塞空間から外部へ放出される。
【００２３】
フロントパネル１６は、携帯端末１０の主面であり、縦長の扁平矩形のガラスで形成されている。フロントパネル１６の裏面にはタッチパネル２０が一体的に形成されている。ディスプレイ１８は、接着剤またはＯＣＡ（Optical  Clear  Adhesive：透明性接着）テープなどによって、フロントパネル１６の裏面に接着される。
【００２４】
インナシャーシ４２は矩形の樹脂枠を含み、その枠内にほぼ全面を覆うように金属（導電材料）製のシールド板４０が設けられている。インナシャーシ４２の枠の厚さは、シールド板４０と二次電池４４とを重ねた厚さと等しいか、それよりも僅かに薄くなるように形成されている。
【００２５】
インナシャーシ４２の表側、つまりシールド板４０の表側には、ディスプレイ１８が貼り付けられたフロントパネル１６が配置される。一方、インナシャーシ４２の裏側には、二次電池４４を保持する（嵌め込む）ための凹部（図示せず）が形成されている。これにより、二次電池４４は、シールド板４０を隔てて、ディスプレイ１８の裏側に配置される。言い換えれば、二次電池４４は、インナシャーシ４２によってディスプレイ１８の裏側に安定的に保持される。
【００２６】
（取付け枠の構造）
図４は、図３に示す取付け枠１４の構造の一例を示す図である。図４（Ａ）は取付け枠１４を表側から見た状態を示し、図４（Ｂ）は取付け枠１４を裏側から見た状態を示す。図３および図４（Ａ），（Ｂ）を参照して、取付け枠１４は、フロントパネル１６およびインナシャーシ４２と同様の矩形平面であり、一対の縦枠７０および一対の横枠７２を含む。第１縦枠７０ａおよび第２縦枠７０ｂは、左右方向に所定の間隔を隔てて配置される。第１横枠７２ａは、一対の縦枠７０の上側を連結し、第２横枠７２ｂは、一対の縦枠７０の下側を連結する。
【００２７】
第１縦枠７０ａの内側から内方に延びて、第１スピーカホルダ４６ａが形成される。第２縦枠７０ｂの内側から内方に延びて、第２スピーカホルダ４６ｂが形成される。第１スピーカホルダ４６ａおよび第２スピーカホルダ４６ｂは、取付け枠１４を平面視したときに、互いに対向している。
【００２８】
第１スピーカホルダ４６ａおよび第２スピーカホルダ４６ｂはともに、矩形平面の板状部分を有している。この板状部分は、フィルムスピーカ３０の正面を保持する。板状部分の中央には、そこに保持されるフィルムスピーカ３０の音を放出するために、たとえば六角形の放音孔７４が形成されている。板状部分の一部分には、フィルムスピーカ３０の正面と対向する側の主面からバックパネル１２の主面１２Ａと対向する側の主面へ厚さ方向に貫通する貫通孔４７ａ，４７ｂが形成されている。貫通孔４７ａ，４７ｂの詳細については後述する。
【００２９】
第１スピーカホルダ４６ａおよび第２スピーカホルダ４６ｂの板状部分の周縁部には、フィルムスピーカ３０のフレーム３８（図２）を保持するリブ９０（図９参照）が設けられている。
【００３０】
なお、本実施の形態１では、第１スピーカホルダ４６ａおよび第２スピーカホルダ４６ｂは、矩形平面の板状に形成されたが、第１スピーカホルダ４６ａおよび第２スピーカホルダ４６ｂの形状はこれに限られない。第１スピーカホルダ４６ａおよび第２スピーカホルダ４６ｂは、それぞれ少なくともフィルムスピーカ３０のフレーム３８を取付けられる領域を有する板状部分があればよく、放音孔７４がもっと大きくても、もっと小さくてもよい。
【００３１】
取付け枠１４の枠内には、インナシャーシ４２が嵌め込まれる。そのため、一対の縦枠７０および一対の横枠７２の内側は、インナシャーシ４２を嵌め込むことが可能な内壁面６０として形成されている。つまり、内壁面６０がインナシャーシ４２の樹脂枠の外面と接触して、インナシャーシ４２が取付け枠１４に嵌め込まれる。
【００３２】
取付け枠１４の表側には、フロントパネル１６を収容して取り付けるための凹部６２および内壁面６４が設けられる。この凹部６２よりも外方の部分６６は、携帯端末１０の外観（図１）として露出する部分である。したがって、内壁面６４の内側でかつ凹部６２の中にフロントパネル１６が取り付けられたとき、フロントパネル１６と外方の部分６６とは同じまたはほぼ同じ面（面一）となる。
【００３３】
第１横枠７２ａの内側から第１スピーカホルダ４６ａおよび第２スピーカホルダ４６ｂの上側端までの部分には、たとえばカメラモジュールなどの部品を組付けるための組付け部７６が設けられる。この組付け部７６には、配線などを通すための矩形の孔７８が形成されている。また、取付け枠１４の裏側（図４（Ｂ））において、組付け部７６には、図３に示すような形状の基板４８を配置するための２つの基板用凹部８０が形成されている。そして、図３に示すように、第２横枠７２ｂの側面にはマイクに通じる孔２２ａおよび充電端子に通じる孔２６ａが形成されている。
【００３４】
図３に戻って、基板４８は、樹脂やガラス繊維などで形成され、異形の第１部分５０と、略矩形の第２部分５２と、第１部分５０および第２部分５２を繋ぐ細長い第３部分５４とを含む。基板４８には、配線が形成されるとともに、マイクなどの部品が実装される。ただし、基板４８の第１部分５０、第２部分５２および第３部分５４の形状およびサイズは、実施例の形状およびサイズに限定されるものではない。
【００３５】
連結部材５６は、樹脂などで形成され、左右に２つずつ係止部８２（図６参照）を有している。連結部材５６によって、第１スピーカホルダ４６ａと第２スピーカホルダ４６ｂとの互いに対向する内側端部同士が連結される。
【００３６】
バックパネル１２は、図１に示すように、携帯端末１０の側面および底面（背面）を構成する。バックパネル１２は、矩形の箱のような形状となるように樹脂などで形成されている。バックパネル１２は、ディスプレイ１８の裏面と対向する主面１２Ａと、主面１２Ａとディスプレイ１８の裏面とを結ぶ側面１２Ｂとを有する。
【００３７】
バックパネル１２の主面１２Ａには第１放音孔２４ａが形成され、バックパネル１２の左右側面１２Ｂには第２放音孔２４ｂが形成される。また、バックパネル１２の下側面１２Ｂにはマイクに通じる孔２２ｂおよび充電端子に通じる孔２６ｂが形成される。
【００３８】
インナシャーシ４２、二次電池４４、第１フィルムスピーカ３０ａ、第２フィルムスピーカ３０ｂ、取付け枠１４、基板４８および連結部材５６は、取付け枠１４に取り付けられる。そして、取付け枠１４の表側にフロントパネル１６が取り付けられ、裏側にバックパネル１２が取り付けられる。
【００３９】
次に、図５を参照して、取付け枠１４に部品を取り付ける手順を説明する。図５（Ａ）は、第１フィルムスピーカ３０ａおよび第２フィルムスピーカ３０ｂが貼り付けられた取付け枠１４の表側を示す。図５（Ｂ）は、第１フィルムスピーカ３０ａおよび第２フィルムスピーカ３０ｂが貼り付けられた取付け枠１４の裏側を示す。図５（Ｃ）は、基板４８が配置された状態を示し、図５（Ｄ）は連結部材５６によって第１スピーカホルダ４６ａおよび第２スピーカホルダ４６ｂの互いに対向する内側端部同士が連結された状態を示す。
【００４０】
まず、図５（Ａ），（Ｂ）を参照して、取付け枠１４の表側において、第１フィルムスピーカ３０ａおよび第２フィルムスピーカ３０ｂが、たとえば両面テープなどの接着手段によって、第１スピーカホルダ４６ａおよび第２スピーカホルダ４６ｂにそれぞれ貼り付けられる。このとき、第１フィルムスピーカ３０ａおよび第２フィルムスピーカ３０ｂはそれぞれ、音を出力する面、つまり正面が対応する放音孔７４の方を向くように貼り付けられる。両面テープなどの接着手段は、第１フィルムスピーカ３０ａおよび第２フィルムスピーカ３０ｂのフレーム３８（図２）を、対応する第１スピーカホルダ４６ａおよび第２スピーカホルダ４６ｂに接着する。図５（Ｂ）に示すように、取付け枠１４の裏側から、各放音孔７４を通して第１フィルムスピーカ３０ａおよび第２フィルムスピーカ３０ｂの正面を視認することができる。
【００４１】
図５（Ｃ），（Ｄ）を参照して、取付け枠１４の裏側に基板４８が配置される。第１部分５０は、組付け部７６の一部と重なるように、第１スピーカホルダ４６ａおよび第２スピーカホルダ４６ｂよりも上方に配置される。第２部分５２は、第１スピーカホルダ４６ａおよび第２スピーカホルダ４６ｂよりも下方に配置される。第３部分５４は、第１スピーカホルダ４６ａおよび第２スピーカホルダ４６ｂの間を通り、かつ、第１フィルムスピーカ３０ａおよび第２フィルムスピーカ３０ｂと略同じ面となるように配置される。この結果、組付け部７６に形成される孔７８および基板用凹部８０は、基板によって隠される。
【００４２】
次に、図５（Ｄ）に示すように、連結部材５６を、基板４８の第３部分５４の上から、第１スピーカホルダ４６ａと第２スピーカホルダ４６ｂとの対向する内側端部同士を連結するように、第１スピーカホルダ４６ａおよび第２スピーカホルダ４６ｂに係止する。
【００４３】
具体的には、連結部材５６の係止部８２（図６参照）の先端には爪が設けられている。係止部８２の爪が第１スピーカホルダ４６ａおよび第２スピーカホルダ４６ｂの周縁に引っ掛けられることにより、連結部材５６が第１スピーカホルダ４６ａおよび第２スピーカホルダ４６ｂの間で固定される。
【００４４】
図６は、図５に示す取付け枠１４にインナシャーシ４２が嵌め込まれた状態の一例を示す図である。図６（Ａ）は、図５（Ｄ）に示す取付け枠１４にインナシャーシ４２が嵌め込まれる前の状態を示す図である。この状態では、孔７８、第１スピーカホルダ４６ａおよび第２スピーカホルダ４６ｂの下側には、基板４８の一部が見えている状態となる。また、第１スピーカホルダ４６ａの右側および第２スピーカホルダ４６ｂの左側には、連結部材５６の係止部８２の先端の爪が引っ掛っている。
【００４５】
これにより、第１スピーカホルダ４６ａおよび第２スピーカホルダ４６ｂが連結部材５６によって強固に連結された状態となり、第１スピーカホルダ４６ａおよび第２スピーカホルダ４６ｂが片持ち梁構造（図４などの状態）から両持ち梁構造となる。このように、第１スピーカホルダ４６ａおよび第２スピーカホルダ４６ｂが一体化されることにより、それぞれの剛性が大きくなるため、第１スピーカホルダ４６ａおよび第２スピーカホルダ４６ｂ自体の振動が抑制される。その結果、第１フィルムスピーカ３０ａおよび第２フィルムスピーカ３０ｂの音圧レベルを大きくすることができる。
【００４６】
図６（Ｂ）は、図５（Ｄ）に示す取付け枠１４にインナシャーシ４２が嵌め込まれた後の状態を示す図である。図６（Ｂ）を参照して、二次電池４４を保持するインナシャーシ４２が取付け枠１４に嵌め込まれると、インナシャーシ４２によって、基板４８、第１フィルムスピーカ３０ａ、第２フィルムスピーカ３０ｂ、第１スピーカホルダ４６ａおよび第２スピーカホルダ４６ｂなどが隠される。なお、図６（Ｂ）において、二次電池４４は点線で示されている。
【００４７】
図７は、図６（Ｂ）の線ＶＩＩ−ＶＩＩにおける断面図である。図７を参照して、二次電池４４はインナシャーシ４２によって保持されている。二次電池４４は、取付け枠１４およびシールド板４０に配置されているので、インナシャーシ４２から抜け落ちることはない。
【００４８】
そして、第１フィルムスピーカ３０ａおよび第２フィルムスピーカ３０ｂは、第１スピーカホルダ４６ａおよび第２スピーカホルダ４６ｂによってそれぞれ、二次電池４４の裏側に安定的に保持されている。なお、第１フィルムスピーカ３０ａおよび第２フィルムスピーカ３０ｂは、二次電池４４の裏側に並置されるため、２つの音源が離れすぎることなく、モノラル音声の再生でもステレオ音声の再生でも違和感が生じにくい。
【００４９】
このように、本実施の形態１に係る携帯端末１０は、フィルムスピーカ３０を採用し、かつ二次電池４４の裏側にフィルムスピーカ３０を配置したことにより、携帯端末１０全体を薄型化することができる。
【００５０】
なお、図７に示すように、二次電池４４が嵌め込まれたインナシャーシ４２は、取付け枠１４の内壁面６０に嵌め込まれる。インナシャーシ４２の枠は、その厚みがシールド板４０の厚みと二次電池４４の厚みの一部とを含むように形成されている。そのため、二次電池４４が嵌め込まれたインナシャーシ４２が取付け枠１４に嵌め込まれたとしても、取付け枠１４の厚さは変化しない。このような構造によっても、携帯端末１０全体が薄型化されている。
【００５１】
図５および図６で説明した手順に従って取付け枠１４に部品が取り付けられると、取付け枠１４の表側にはフロントパネル１６（図３）が取り付けられ、取付け枠１４の裏側にはバックパネル１２（図３）が取り付けられる。これにより、バックパネル１２と取付け枠１４との間に閉塞空間が形成される。第１フィルムスピーカ３０ａおよび第２フィルムスピーカ３０ｂの正面から発せられた音は、対応するスピーカホルダの放音孔７４を通して閉塞空間に出力された後、バックパネル１２に設けられた第１放音孔２４ａおよび第２放音孔２４ｂから閉塞空間外へ放出される。
【００５２】
ここで、ユーザが誤って携帯端末１０を水没または水濡れさせてしまった場合を想定する。このような場合、第１放音孔２４ａおよび第２放音孔２４ｂなどを通じてバックパネル１２内部の閉塞空間内に水分が浸入する可能性がある。そして、この閉塞空間内に浸入した水分が、放音孔７４から第１スピーカホルダ４６ａおよび第２スピーカホルダ４６ｂの内部に入り込むことによって、第１フィルムスピーカ３０ａおよび第２フィルムスピーカ３０ｂの正面に水分が付着してしまう虞がある。フィルムスピーカ３０の正面に水分が付着すると、水分が振動を抑制することによって音圧が低下し、結果的にフィルムスピーカ３０の故障に繋がる。そのため、第１スピーカホルダ４６ａおよび第２スピーカホルダ４６ｂの内部に入り込んだ水分を排出するための構造が必要となる。
【００５３】
そこで、本実施の形態１に係る携帯端末１０では、第１スピーカホルダ４６ａおよび第２スピーカホルダ４６ｂに、内部に浸入した水分の排水構造を設ける。
【００５４】
（スピーカホルダの排水構造）
以下、第１スピーカホルダ４６ａおよび第２スピーカホルダ４６ｂにおける排水構造について説明する。
【００５５】
図７を参照して、第１スピーカホルダ４６ａの板状部分は、中央から第１縦枠７０ａに向けて傾斜している。そのため、第１スピーカホルダ４６ａの内側端部は、第１縦枠７０ａよりも低くなっている。同様にして、第２スピーカホルダ４６ｂの板状部分は、中央から第２縦枠７０ｂに向けて傾斜している。そのため、第２スピーカホルダ４６ｂの内側端部は、第２縦枠７０ｂよりも低くなっている。したがって、取付け枠１４にバックパネル１２を取り付けた状態では、第１スピーカホルダ４６ａおよび第２スピーカホルダ４６ｂの内側端部は、それぞれ、第１縦枠７０ａおよび第２縦枠７０ｂよりも、バックパネル１２の主面１２Ａまでの距離が短くなっている。
【００５６】
図８は、スピーカホルダ４６ａ，４６ｂとバックパネル１２との位置関係を模式的に示した図である。図８では、バックパネル１２の主面１２Ａの左右方向をＸ軸方向と定義し、主面１２Ａの上下方向をＹ軸方向と定義し、主面１２Ａの法線方向をＺ軸方向と定義する。
【００５７】
図８においては、第１スピーカホルダ４６ａおよび第２スピーカホルダ４６ｂの各々の板状部分を模式的に示している。なお、各板状部分の中央には、そこに保持されるフィルムスピーカ３０の音を放出するための放音孔７４が形成されている。
【００５８】
図８に示すように、第１スピーカホルダ４６ａの板状部分および第２スピーカホルダ４６ｂの板状部分を、それぞれ、バックパネル１２の主面１２Ａに対してＸ軸方向に傾斜させて配置する。図中の角度θはバックパネル１２の主面１２Ａに対するＸ軸方向の傾斜角を表わしている。
【００５９】
第１スピーカホルダ４６ａの板状部分は、内側（右側）端部が外側（左側）端部よりも低くなるように傾斜している。第１スピーカホルダ４６ａの板状部分の一部分には、第１貫通孔４７ａが形成されている。第１貫通孔４７ａは、第１フィルムスピーカ３０ａ（図示せず）の正面と対向する側の主面からバックパネル１２の主面１２Ａと対向する側の主面へ厚さ方向に貫通する。第１貫通孔４７ａが形成される板状部分の一部分は、バックパネル１２の主面１２Ａの法線方向（Ｚ軸方向）における板状部分から主面１２Ａまでの距離（図中の距離ｄｚに相当）が最短となる位置を含んでいる。板状部分から主面１２Ａまでの距離ｄｚが最短となる位置を点Ｐで表わすと、図８に示すように、点Ｐは、第１スピーカホルダ４６ａの板状部分の内側端部に位置している。したがって、第１貫通孔４７ａは、第１スピーカホルダ４６ａの板状部分の内側端部を含む一部分に形成される。このような構成とすることにより、バックパネル１２の主面１２Ａの法線方向に沿った、第１貫通孔４７ａから主面１２Ａまでの距離は、放音孔７４から主面１２Ａまでの距離よりも短くなっている。
【００６０】
第２スピーカホルダ４６ｂの板状部分は、内側（左側）端部が外側（右側）端部よりも低くなるように傾斜している。第２スピーカホルダ４６ｂの板状部分の一部分には、第２貫通孔４７ｂが形成されている。第２貫通孔４７ｂは、第２フィルムスピーカ３０ｂ（図示せず）の正面と対向する側の主面からバックパネル１２の主面１２Ａと対向する側の主面へ厚さ方向に貫通する。第２貫通孔４７ｂが形成される板状部分の一部分は、バックパネル１２の主面１２Ａの法線方向（Ｚ軸方向）における板状部分から主面１２Ａまでの距離ｄｚが最短となる位置（点Ｐ）を含んでいる。図８に示すように、点Ｐは、第２スピーカホルダ４６ｂの板状部分の内側端部に位置している。したがって、第２貫通孔４７ｂは、第２スピーカホルダ４６ｂの板状部分の内側端部を含む一部分に形成される。このような構成とすることにより、バックパネル１２の主面１２Ａの法線方向に沿った、第２貫通孔４７ｂから主面１２Ａまでの距離は、放音孔７４から主面１２Ａまでの距離よりも短くなっている。
【００６１】
第１貫通孔４７ｂおよび第２貫通孔４７ｂの各々は、以下に説明するように、第１スピーカホルダ４６ａおよび第２スピーカホルダ４６ｂの内部に入り込んだ水分を排出するための排水孔として機能する。
【００６２】
図９および図１０は、第１スピーカホルダ４６ａおよび第２スピーカホルダ４６ｂの詳細を示す拡大図である。図９は、取付け枠１４の表側から見た第１スピーカホルダ４６ａおよび第２スピーカホルダ４６ｂが拡大された状態の一例を示す。図９は、第１スピーカホルダ４６ａおよび第２スピーカホルダ４６ｂに第１フィルムスピーカ３０ａおよび第２スピーカホルダ３０ｂがそれぞれ貼り付けられた状態を示している。図１０は、図９に示す第１スピーカホルダ４６ａおよび第２スピーカホルダ４６ｂを裏側から見た状態を示している。
【００６３】
図９を参照して、第１スピーカホルダ４６ａおよび第２スピーカホルダ４６ｂの周縁はリブ９０によって囲まれている。リブ９０の高さは、第１スピーカホルダ４６ａおよび第２スピーカホルダ４６ｂにそれぞれ貼り付けられた第１フィルムスピーカ３０ａおよび第２フィルムスピーカ３０ｂの厚みよりも高くなるように設定されている。したがって、第１スピーカホルダ４６ａおよび第２スピーカホルダ４６ｂに第１フィルムスピーカ３０ａおよび第２フィルムスピーカ３０ｂが貼り付けられたとき、リブ９０が第１フィルムスピーカ３０ａおよび第２フィルムスピーカ３０ｂよりも高くなる。
【００６４】
また、第１スピーカホルダ４６ａのリブ９０には複数の切欠き９２が設けられている。また、第１フィルムスピーカ３０ａと繋がる配線を通すために、第１スピーカホルダ４６ａの右側には配線用凹部９４が設けられている。同様に、第２スピーカホルダ４６ｂのリブ９０には、複数の切欠き９２と配線用凹部９４とが設けられている。
【００６５】
第１スピーカホルダ４６ａおよび第２スピーカホルダ４６ｂは、第１フィルムスピーカ３０ａおよび第２フィルムスピーカ３０ｂはそれぞれ取り付けられると、リブ９０が第１フィルムスピーカ３０ａおよび第２フィルムスピーカ３０ｂの周囲を取り囲んだ状態で、第１フィルムスピーカ３０ａおよび第２フィルムスピーカ３０ｂを保持することになる。
【００６６】
ここで、バックパネル１２内部の閉塞空間内に水分が浸入している状態において、携帯端末１０の背面、すなわち、バックパネル１２の裏面が載置面に接するように、携帯端末１０を載置した場合を考える。
【００６７】
図７および図８に示したように、第１スピーカホルダ４６ａにおいては、内側端部が外側端部よりも低くなっている。したがって、携帯端末１０の背面が載置面に接するように携帯端末１０を載置した場合、第１スピーカホルダ４６ａの内側端部が外側端部よりも重力方向下側に位置している。そのため、放音孔７４から第１スピーカホルダ４６ａの内部に入り込んだ水分Ｗは、図９に示すように、第１スピーカホルダ４６ａの内側端部寄りに集められる。
【００６８】
図８に示したように、第１スピーカホルダ４６ａの板状部分には、内側端部を含む一部分に第１貫通孔４７ａが形成されている。これにより、図１０に示すように、水分Ｗが溜まっている部分に第１貫通孔４７ａを配置させることができる。
【００６９】
第２スピーカホルダ４６ｂにおいても、第１スピーカホルダ４６ａと同様に、内側端部が外側端部よりも低くなっている。そのため、放音孔７４から第２スピーカホルダ４６ｂの内部に入り込んだ水分Ｗは、第２スピーカホルダ４６ｂの内側端部寄りに集められる。第２スピーカホルダ４６ｂの板状部分には、内側端部を含む一部分に第２貫通孔４７ｂが形成されている。したがって、図１０に示すように、水分Ｗが溜まっている部分に第２貫通孔４７ｂを配置させることができる。
【００７０】
図１１は、図１０の線ＸＩ−ＸＩにおける断面の一部分を示す図である。図１１を参照して、第２スピーカホルダ４６ｂの内部に入り込んだ水分Ｗは、内側端部寄りに溜められている。この水分Ｗは、図中に矢印で示すように、重力にしたがって第２貫通孔４７ｂを通って第２スピーカホルダ４６ｂの外部へ排出される。
【００７１】
なお、図示は省略するが、第１スピーカホルダ４６ａにおいても、内側端部寄りに集められた水分Ｗは、重力にしたがって第１貫通孔４７ａを通って第１スピーカホルダ４６ａの外部へ放出される。
【００７２】
このようにして、本実施の形態１に係る携帯端末１０において、第１スピーカホルダ４６ａおよび第２スピーカホルダ４６ｂの内部に入り込んだ水分の排水構造が実現される。これにより、フィルムスピーカ３０の正面に付着した水分によって音圧が低下し、フィルムスピーカ３０が故障に至るのを防止することができる。
【００７３】
なお、第１貫通孔４７ａおよび第２貫通孔４７ｂは、バックパネル１２の主面１２Ａが重力方向と平行になるように携帯端末１０を保持した状態において、放音孔７４よりも重力方向下側に位置することが好ましい。たとえば、携帯端末１０の下側面が載置面に接するように携帯端末１０を載置した場合、第１スピーカホルダ４６ａおよび第２スピーカホルダ４６ｂの内部に入り込んだ水分は放音孔７４より重力方向下側、すなわち、下側端部寄りに集められる。第１貫通孔４７ａおよび第２貫通孔４７ｂを放音孔７４よりも重力方向下側（下側端部側）に配置することにより、下側端部寄りに集められた水分Ｗは、重力にしたがって第１貫通孔４７ａおよび第２貫通孔４７ｂをそれぞれ通って第１スピーカホルダ４６ａおよび第２スピーカホルダ４６ｂの外部へ放出される。このようにして、携帯端末１０の下側面が載置面に接するように携帯端末１０を載置した場合においても、水分を排出することが可能となる。
【００７４】
ここで、第１スピーカホルダ４６ａおよび第２スピーカホルダ４６ｂの外部へ排出された水分は、バックパネル１２内部の閉塞空間を伝って第１放音孔２４ａおよび第２放音孔２４ｂなどから閉塞空間外へ排出される。図１２は、第２スピーカホルダ４６ｂを裏側から見た状態を示している。図１２を参照して、第２スピーカホルダ４６の板状部分の裏側において、第２溝部４５ｂを形成してもよい。具体的には、第２溝部４５ｂは、板状部分のバックパネル１２の主面１２Ａと対向する側の主面上に形成されており、一方端が第２貫通孔４７ｂに連結され、かつ、他方端がバックパネル１２の側面に向けて開口している。板状部分の裏側に第２溝部４５ｂを形成したことにより、第２貫通孔４７ｂから第２スピーカホルダ４６ｂの外部へ排出された水分Ｗは、図中に矢印で示すように、第２溝部４５ｂの内部を流れて他方端から閉塞空間外へ排出される。このように、第２溝部４５ｂは、第２スピーカホルダ４６ｂからバックパネル１２内部の閉塞空間に向けて排出された水分を、閉塞空間外へ導くための排水路として機能する。これにより、バックパネル１２内部の閉塞空間から効率良く水分を排出することができる。
【００７５】
なお、図示は省略するが、第１スピーカホルダ４６ａにおいても、板状部分の裏側に第１溝部４５ａを形成してもよい。第１溝部４５ａは、板状部分のバックパネル１２の主面１２Ａと対向する側の主面上に形成されており、一方端が第１貫通孔４７ａに連結され、かつ、他方端がバックパネル１２の側面に向けて開口している。
【００７６】
さらに、図１３に示すように、バックパネル１２の右側面において、第２溝部４５ｂの他方端と携帯端末１０の外部とを連通する孔４９を形成してもよい。これにより、第２溝部４５ｂの内部を流れた水分Ｗをそのまま携帯端末１０の外部へ排出することができる。
【００７７】
［実施の形態２］
本実施の形態２では、第１スピーカホルダ４６ａおよび第２スピーカホルダ４６ｂにおける排水構造の他の実施例について説明する。最初に、図１４および図１５を参照して、本実施の形態２に係る携帯端末１０Ａにおけるスピーカホルダの排水構造を概念的に説明する。
【００７８】
図１４および図１５は、スピーカホルダとバックパネルとの位置関係を模式的に示した図である。図１４および図１５では、バックパネル１２の主面１２Ａの左右方向をＸ軸方向と定義し、主面１２Ａの上下方向をＹ軸方向と定義し、主面１２Ａの法線方向をＺ軸方向と定義する。
【００７９】
図１４においては、第１スピーカホルダ４６ａおよび第２スピーカホルダ４６ｂの各々の板状部分を模式的に示している。なお、各板状部分の中央には、そこに保持されるフィルムスピーカ３０の音を放出するための放音孔７４が形成されている。
【００８０】
図１４に示すように、第１スピーカホルダ４６ａの板状部分および第２スピーカホルダ４６ｂの板状部分を、それぞれ、バックパネル１２の主面１２Ａに対してＸ軸方向およびＹ軸方向に傾斜させて配置する。図中の角度θはバックパネル１２の主面１２Ａに対するＸ軸方向の傾斜角を表わし、角度φは主面１２Ａに対するＹ軸方向の傾斜角を表わしている。
【００８１】
第１スピーカホルダ４６ａの板状部分は、右下端部が最も低くなるように傾斜している。第１スピーカホルダ４６ａの板状部分の一部分には、第１貫通孔４７ａが形成されている。第１貫通孔４７ａが形成される板状部分の一部分は、バックパネル１２の主面１２Ａの法線方向（Ｚ軸方向）における板状部分から主面１２Ａまでの距離（図中の距離ｄｚに相当）が最短となる位置（図中の点Ｐ）を含んでいる。図１４に示すように、点Ｐは、第１スピーカホルダ４６ａの板状部分の右下端部に位置している。したがって、第１貫通孔４７ａは、第１スピーカホルダ４６ａの板状部分の右下端部を含む一部分に形成される。このような構成とすることにより、バックパネル１２の主面１２Ａの法線方向に沿った、第１貫通孔４７ａから主面１２Ａまでの距離は、放音孔７４から主面１２Ａまでの距離よりも短くなっている。
【００８２】
第２スピーカホルダ４６ｂの板状部分は、左下端部が最も低くなるように傾斜している。第２スピーカホルダ４６ｂの板状部分の一部分には、第２貫通孔４７ｂが形成されている。第２貫通孔４７ｂが形成される板状部分の一部分は、バックパネル１２の主面１２Ａの法線方向（Ｚ軸方向）における板状部分から主面１２Ａまでの距離ｄｚが最短となる位置（点Ｐ）を含んでいる。図１４に示すように、点Ｐは、第２スピーカホルダ４６ｂの板状部分の左下端部に位置している。したがって、第２貫通孔４７ｂは、第２スピーカホルダ４６ｂの板状部分の左下端部を含む一部分に形成される。このような構成とすることにより、バックパネル１２の主面１２Ａの法線方向に沿った、第２貫通孔４７ｂから主面１２Ａまでの距離は、放音孔７４から主面１２Ａまでの距離よりも短くなっている。
【００８３】
図１５は、バックパネル１２の主面１２Ａが上下方向（Ｙ軸方向）と平行になるように携帯端末１０を保持した状態を示している。すなわち、上下方向は重力方向と平行である。
【００８４】
図１５に示すように、バックパネル１２の主面１２Ａの平面視において、第１スピーカホルダ４６ａの板状部分における直交する２辺は、バックパネル１２の主面１２Ａにおける直交する２辺に対して傾斜している。第１スピーカホルダ４６ａの板状部分を成す矩形平面の４つの頂点のうち、重力方向に対して最も低い頂点を点Ｑで表わすと、図１５に示すように、点Ｑは、第１スピーカホルダ４６ａの板状部分の右下端部に位置しており、バックパネル１２の主面１２Ａの法線方向（Ｚ軸方向）における板状部分から主面１２Ａまでの距離ｄｚが最短となる位置（点Ｐ）と一致している。第１貫通孔４７ａは、第１スピーカホルダ４６ａの板状部分において、放音孔７４よりも重力方向下側に位置している。第１貫通孔４７ａが形成される板状部分の一部分は、点Ｐおよび点Ｑを含んでいる。すなわち、第１貫通孔４７ａは、第１スピーカホルダ４６ａの板状部分の右下端部を含む一部分に形成される。
【００８５】
第２スピーカホルダ４６ｂの板状部分を成す矩形平面の４つの頂点のうち、重力方向に対して最も低い頂点（点Ｑ）は、第２スピーカホルダ４６ｂの板状部分の左下端部に位置しており、点Ｐと一致している。第２貫通孔４７ｂは、第２スピーカホルダ４６ｂの板状部分において、放音孔７４よりも重力方向下側に位置している。第２貫通孔４７ｂが形成される板状部分の一部分は、点Ｐおよび点Ｑを含んでいる。すなわち、第１貫通孔４７ｂは、第２スピーカホルダ４６ｂの板状部分の左下端部を含む一部分に形成される。
【００８６】
（取付け枠の構造）
図１６は、本実施の形態２に係る携帯端末１０Ａにおける取付け枠１４Ａの構造の一例を示す図である。図１６（Ａ）は第１フィルムスピーカ３０ａおよび第２フィルムスピーカ３０ｂが貼り付けられた取付け枠１４Ａを表側から見た状態を示し、図１６（Ｂ）は第１フィルムスピーカ３０ａおよび第２フィルムスピーカ３０ｂが貼り付けられた取付け枠１４Ａを裏側から見た状態を示す。
【００８７】
図１６（Ａ），（Ｂ）を参照して、取付け枠１４Ａは、フロントパネル１６およびインナシャーシ４２と同様の矩形平面であり、一対の縦枠７０および一対の横枠７２を含む。第１縦枠７０ａおよび第２縦枠７０ｂは、左右方向に所定の間隔を隔てて配置される。第１横枠７２ａは、一対の縦枠７０の上側を連結し、第２横枠７２ｂは、一対の縦枠７０の下側を連結する。
【００８８】
第１縦枠７０ａの内側から内方に延びて、第１スピーカホルダ４６ａが形成される。第２縦枠７０ｂの内側から内方に延びて、第２スピーカホルダ４６ｂが形成される。第１スピーカホルダ４６ａおよび第２スピーカホルダ４６ｂは、互いに対向している。
【００８９】
第１スピーカホルダ４６ａおよび第２スピーカホルダ４６ｂはともに、矩形平面の板状部分を有している。この板状部分は、フィルムスピーカ３０の正面（第１の主面）を保持する。板状部分の中央には、たとえば六角形の放音孔７４が形成されている。第１スピーカホルダ４６ａおよび第２スピーカホルダ４６ｂの板状部分の周縁部には、リブ９０が設けられている。
【００９０】
第１スピーカホルダ４６ａの板状部分は、上下方向に対して右下端部が最も低くなるように傾斜している。第２スピーカホルダ４６ａの板状部分は、上下方向に対して左下端部が最も低くなるように傾斜している。
【００９１】
本実施の形態２では、図１４に示したように、第１スピーカホルダ４６ａの板状部分および第２スピーカホルダ４６ｂの板状部分を、それぞれ、バックパネル１２の主面１２Ａに対して左右方向および上下方向に傾斜させて配置している。図１７は、図１６の線ＸＶＩＩ−ＸＶＩＩにおける断面図である。図１８は、図１６の線ＸＶＩＩＩ−ＸＶＩＩＩにおける断面図である。図１７を参照して、第１スピーカホルダ４６ａの板状部分は、中央から第１縦枠７０ａに向けて傾斜している。同様にして、第２スピーカホルダ４６ｂの板状部分は、中央から第２縦枠７０ｂに向けて傾斜している。さらに、第１スピーカホルダ４６ａの板状部分は、中央から第１横枠７２ａに向けて傾斜している。同様にして、第２スピーカホルダ４６ｂの板状部分は、中央から第１横枠７２ａに向けて傾斜している。図１８は、第２スピーカホルダ４６ｂの下側端部が上側端部よりも低くなっていることを示している。
【００９２】
図１９および図２０は、第１スピーカホルダ４６ａおよび第２スピーカホルダ４６ｂの詳細を示す拡大図である。図１９は、取付け枠１４の表側から見た第１スピーカホルダ４６ａおよび第２スピーカホルダ４６ｂが拡大された状態の一例を示す。図１９は、第１スピーカホルダ４６ａおよび第２スピーカホルダ４６ｂに第１フィルムスピーカ３０ａおよび第２スピーカホルダ３０ｂがそれぞれ貼り付けられた状態を示している。図２０は、図１９に示す第１スピーカホルダ４６ａおよび第２スピーカホルダ４６ｂを裏側から見た状態を示している。
【００９３】
ここで、バックパネル１２内部の閉塞空間内に水分が浸入している状態において、携帯端末１０の背面、すなわち、バックパネル１２の裏面が載置面に接するように、携帯端末１０を載置した場合を考える。
【００９４】
第１スピーカホルダ４６ａの板状部分の右下端部は、バックパネル１２の主面１２Ａの法線方向における板状部分から主面１２Ａまでの距離が最短となる位置（図１４の点Ｐ）である。したがって、携帯端末１０の背面が載置面に接するように携帯端末１０を載置した場合、第１スピーカホルダ４６ａの右下端部が右上端部、左下端部および左上端部よりも重力方向下側に位置している。そのため、放音孔７４から第１スピーカホルダ４６ａの内部に入り込んだ水分Ｗは、図１９に示すように、第１スピーカホルダ４６ａの右下端部寄りに集められる。
【００９５】
図１４に示したように、第１スピーカホルダ４６ａの板状部分には、右下端部を含む一部分に第１貫通孔４７ａが形成されている。これにより、図２０に示すように、水分Ｗが集まっている部分に第１貫通孔４７ａを配置させることができる。
【００９６】
第２スピーカホルダ４６ｂにおいても、第１スピーカホルダ４６ａと同様に、左下端部が左上端部、右下端部および右上端部よりも低くなっている。そのため、放音孔７４から第２スピーカホルダ４６ｂの内部に入り込んだ水分Ｗは、第２スピーカホルダ４６ｂの左下端部寄りに集められる。第２スピーカホルダ４６ｂの板状部分には、左下端部を含む一部分に第２貫通孔４７ｂが形成されている。したがって、図２０に示すように、水分Ｗが集まっている部分に第２貫通孔４７ｂを配置させることができる。
【００９７】
図２１は、図２０に示す線ＸＸＩ−ＸＸＩにおける断面の一部分を示す図である。図２１を参照して、第２スピーカホルダ４６ｂの内部に入り込んだ水分Ｗは、左下端部寄りに集まっている。この水分Ｗは、図中に矢印で示すように、重力にしたがって第２貫通孔４７ｂを通って第２スピーカホルダ４６ｂの外部へ排出される。
【００９８】
なお、図示は省略するが、第１スピーカホルダ４６ａにおいても、右下端部寄りに集められた水分Ｗは、重力にしたがって第１貫通孔４７ａを通って第１スピーカホルダ４６ａの外部へ放出される。
【００９９】
本実施の形態２において、第１スピーカホルダ４６ａの板状部分の右下端部は、バックパネル１２の主面１２Ａが上下方向と平行になるように携帯端末１０Ａを保持した状態において、第１スピーカホルダ４６ａの板状部分を成す矩形平面の４つの頂点のうち、重力方向に対して最も低い頂点（図１５の点Ｑ）である。したがって、携帯端末１０Ａの下側面が載置面に接するように携帯端末１０Ａを載置した場合、第１スピーカホルダ４６ａの右下端部が右上端部、左下端部および左上端部よりも重力方向下側に位置している。そのため、放音孔７４から第１スピーカホルダ４６ａの内部に入り込んだ水分Ｗは、図１９に示すように、第１スピーカホルダ４６ａの右下端部寄りに集められ、第１貫通孔４７ａを通って第１スピーカホルダ４６ａの外部へ放出される。
【０１００】
第２スピーカホルダ４６ａの板状部分の左下端部は、バックパネル１２の主面１２Ａが上下方向と平行になるように携帯端末１０Ａを保持した状態において、第２スピーカホルダ４６ｂの板状部分を成す矩形平面の４つの頂点のうち、重力方向に対して最も低い頂点（図１５の点Ｑ）である。したがって、携帯端末１０の下側面が載置面に接するように携帯端末１０を載置した場合、第２スピーカホルダ４６ｂの左下端部が左上端部、右下端部および右上端部よりも重力方向下側に位置している。そのため、放音孔７４から第２スピーカホルダ４ｂａの内部に入り込んだ水分Ｗは、図１９に示すように、第２スピーカホルダ４６ｂの右下端部寄りに集められ、第２貫通孔４７ｂを通って第２スピーカホルダ４６ｂの外部へ放出される。
【０１０１】
このようにして、本実施の形態２に係る携帯端末１０Ａにおいて、第１スピーカホルダ４６ａおよび第２スピーカホルダ４６ｂの内部に入り込んだ水分の排水構造が実現される。本実施の形態２に係る排水構造によれば、携帯端末１０Ａの背面が載置面に接するように携帯端末１０Ａを載置した場合だけでなく、携帯端末１０Ａの下側面が載置面に接するように携帯端末１０Ａを載置した場合においても、水分を効率良く第１スピーカホルダ４６ａおよび第２スピーカホルダ４６ｂの外部へ排出することができる。
【０１０２】
なお、第１スピーカホルダ４６ａおよび第２スピーカホルダ４６ｂの外部へ排出された水分は、バックパネル１２内部の閉塞空間を伝って第１放音孔２４ａおよび第２放音孔２４ｂから閉塞空間外へ排出される。図２２は、第２スピーカホルダ４６ｂを裏側から見た状態を示している。
【０１０３】
図２２を参照して、第２スピーカホルダ４６の板状部分の裏側において、第２溝部４５ｂを形成してもよい。第２溝部４５ｂは、板状部分のバックパネル１２の主面１２Ａと対向する側の主面上に形成されており、一方端が第２貫通孔４７ｂに連結され、かつ、他方端がバックパネル１２の側面に向けて開口している。板状部分の裏側に第２溝部４５ｂを形成したことにより、第２貫通孔４７ｂから第２スピーカホルダ４６ｂ外部へ排出された水分Ｗは、図中に矢印で示すように、第２溝部４５ｂの内部を流れて閉塞空間外へ排出される。
【０１０４】
なお、本実施の形態２においても、図１３に示したように、バックパネル１２の右側面において、第２溝部４５ｂの他方端と携帯端末１０Ａの外部とを連通する孔４９を形成してもよい。これにより、第２溝部４５ｂの内部を流れた水分Ｗをそのまま携帯端末１０Ａの外部へ排出することができる。
【０１０５】
このように、第２溝部４５ｂは、第２スピーカホルダ４６ｂからバックパネル１２内部の閉塞空間に向けて排出された水分を、閉塞空間外へ導くための排水路として機能する。これにより、バックパネル１２内部の閉塞空間から効率良く水分を排出することが可能となる。
【０１０６】
なお、第２溝部４５ｂの他方端は、図２２に示すように、バックパネル１２の主面１２Ａが重力方向と平行になるように携帯端末１０Ａを保持した状態で、第２溝部４５ｂの一方端よりも重力方向下側に位置することが好ましい。このようにすれば、携帯端末１０の下側面が載置面に接するように携帯端末１０を載置した場合においても、バックパネル１２内部の閉塞空間から効率良く水分を排出することが可能となる。
【０１０７】
なお、図示は省略するが、第１スピーカホルダ４６ａにおいても、板状部分の裏側に第１溝部４５ａを形成してもよい。第１溝部４５ａは、板状部分のバックパネル１２の主面１２Ａと対向する側の主面上に形成されており、一方端が第１貫通孔４７ａに連結され、かつ、他方端がバックパネル１２の側面に向けて開口している。第１溝部４５ａの他方端は、バックパネル１２の主面１２Ａが重力方向と平行になるように携帯端末１０Ａを保持した状態で、第１溝部４５ａの一方端よりも重力方向下側に位置することが好ましい。
【０１０８】
（作用効果）
以上説明したように、本実施の形態１および２に係る携帯端末によれば、第１スピーカホルダ４６ａおよび第２スピーカホルダ４６ｂの各々の板状部分を、バックパネル１２の主面１２Ａに対して傾斜させて配置するとともに、板状部分に第１貫通孔４７ａおよび第２貫通孔４７ｂを形成する。第１貫通孔４７ａおよび第２貫通孔４７ｂは、バックパネル１２の主面１２Ａの法線方向における板状部分から主面１２Ａまでの距離が最短となる位置（図８および図１４の点Ｐ）を含む一部分に形成される。
【０１０９】
本実施の形態１および２に係る携帯端末において、バックパネル１２の主面１２Ａの法線方向に沿った、第１貫通孔４７ａから主面１２Ａまでの距離および第２貫通孔４７ｂから主面１２Ａまでの距離はそれぞれ、放音孔７４から主面１２Ａまでの距離よりも短くなっている。
【０１１０】
このような構成としたことにより、第１スピーカホルダ４６ａおよび第２スピーカホルダ４６ｂの内部に入り込んだ水分は、携帯端末の背面が載置面に接するように携帯端末を載置した状態において、上記一部分に集められ、かつ、第１貫通孔４７ａおよび第２貫通孔４７ｂを通じて第１スピーカホルダ４６ａおよび第２スピーカホルダ４６ｂの外部へ排出される。これにより、フィルムスピーカ３０の正面に付着した水分によって音圧が低下し、フィルムスピーカ３０が故障に至るのを防止することができる。
【０１１１】
なお、本実施の形態１では第１スピーカホルダ４６ａおよび第２スピーカホルダ４６ｂの板状部分をバックパネル１２の主面１２Ａに対して一方向（左右方向）に傾斜させているのに対し、本実施の形態２では板状部分を主面１２Ａに対して二方向（左右方向および上下方向）に傾斜させている。そのため、本実施の形態２は、本実施の形態１に比べて、より水分が集まりやすい構造となっている。
【０１１２】
さらに、本実施の形態１および２に係る携帯端末によれば、バックパネル１２の主面１２Ａが重力方向と平行になるように携帯端末を保持した状態において、第１貫通孔４７ａおよび第２貫通孔４７ｂは、放音孔７４よりも重力方向下側に位置している。バックパネル１２の主面１２Ａが重力方向と平行になるように携帯端末を保持した状態では、第１スピーカホルダ４６ａおよび第２スピーカホルダ４６ｂの内部に入り込んだ水分は放音孔７４より重力方向下側に集められる。したがって、放音孔７４よりも重力方向下側に第１貫通孔４７ａおよび第２貫通孔４７ｂを配置することで、水分を第１スピーカホルダ４６ａおよび第２スピーカホルダ４６ｂの外部へ排出することができる。
【０１１３】
さらに、本実施の形態２では、バックパネル１２の主面１２Ａの平面視において、第１スピーカホルダ４６ａおよび第２スピーカホルダ４６ａの板状部分における直交する２辺を、バックパネル１２の主面１２Ａにおける直交する２辺に対して傾斜させている。これにより、バックパネル１２の主面１２Ａが重力方向と平行になるように携帯端末を保持した状態においても、より水分が集まりやすい構造となっている。そして、本実施の形態２によれば、板状部分を成す矩形平面の４つの頂点のうち、重力方向に対して最も低い頂点を含む一部分に、第１貫通孔４７ａおよび第２貫通孔４７ｂを形成している。したがって、水分を効率良く排出することができる。
【０１１４】
なお、本実施の形態１および２では、携帯端末の背面が載置面に接するように携帯端末を載置した状態において水分が排出される構成、およびバックパネル１２の主面１２Ａが重力方向と平行になるように携帯端末を保持した状態において水分が排出される構成について説明したが、本発明に係る携帯端末は、第１スピーカホルダ４６ａおよび第２スピーカホルダ４６ｂの各々の板状部分を、バックパネル１２の主面１２Ａに対して傾斜させて配置したことによって、これ以外の状態に携帯端末を保持した場合においても、第１スピーカホルダ４６ａおよび第２スピーカホルダ４６ｂの内部に入り込んだ水分が一部分に集まりやすい構造となっている。そして、この水分が集まっている一部分に第１貫通孔４７ａおよび第２貫通孔４７ｂを配置することによって、本発明による第１スピーカホルダ４６ａおよび第２スピーカホルダ４６ｂの排水構造を実現することができる。
【０１１５】
また、本実施の形態１および２に係る携帯端末によれば、第１スピーカホルダ４６ａおよび第２スピーカホルダ４６ｂの板状部分を、バックパネル１２の主面１２Ａに対して傾斜させたことによって、上述した排水構造の実現に加えて、ステレオ感の改善という効果も奏する。図２３は、本実施の形態２に係る携帯端末１０Ａにおける音響効果を説明する図である。図２３（Ａ）は携帯端末１０Ａの裏面の外観図であり、図２３（Ｂ）は携帯端末１０Ａの表面の外観図である。
【０１１６】
第１スピーカホルダ４６ａおよび第２スピーカホルダ４６ｂの板状部分をそれぞれ、バックパネル１２の主面１２Ａに対して傾斜させたことによって、第１フィルムスピーカ３０ａおよび第２フィルムスピーカ３０ｂの正面はバックパネル１２の主面１２Ａに対して傾斜している。そのため、第１フィルムスピーカ３０ａの正面から発せられた音は、図２３（Ａ）に矢印で示すように、バックパネル１２の主面の法線に対して右上側に傾いた方向に出力される。また、第２フィルムスピーカ３０ｂの正面から発せられた音は、図２３（Ａ）に矢印で示すように、バックパネル１２の主面の法線に対して左上側に傾いた方向に出力される。このようにして、第１フィルムスピーカ３０ａおよび第２フィルムスピーカ３０ｂの音は、バックパネル１２の裏面に形成された第１放音孔２４ａから斜め上方に向けて出力されると、図２３（Ｂ）に矢印で示すように、携帯端末１０の表面側に回り込む。したがって、左右２つのフィルムスピーカ３０から出力される音の携帯端末１０Ａの表面への音圧が増大する。さらに、ユーザは、左右２つのフィルムスピーカ３０から出力された音の差を、携帯端末１０の表面で聞き分けやすくなるため、ステレオ感が改善される。
【０１１７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１８】
１０，１０Ａ  携帯端末、１２  バックパネル、１４  取付け枠、１６  フロントパネル、１８  ディスプレイ、２４ａ  第１放音孔、２４ｂ  第２放音孔、３０ａ  第１フィルムスピーカ、３０ｂ  第２フィルムスピーカ、４０  シールド板、４２  インナシャーシ、４４  二次電池、４５ｂ  第２溝部、４６ａ  第１スピーカホルダ、４６ｂ  第２スピーカホルダ、４７ａ  第１貫通孔、４７ｂ  第２貫通孔、４８  基板、４９  孔、５０  第１部分、５２  第２部分、５４  第３部分、５６  連結部材、６０，６４  内壁面、６２  凹部、７０ａ，７０ｂ  一対の縦枠、７２ａ，７２ｂ  一対の横枠、８２  係止部、９０  リブ、９２  切欠き、９４  配線用凹部
【図１】
0006386851.tif 000002
【図２】
0006386851.tif 000003
【図３】
0006386851.tif 000004
【図４】
0006386851.tif 000005
【図５】
0006386851.tif 000006
【図６】
0006386851.tif 000007
【図７】
0006386851.tif 000008
【図８】
0006386851.tif 000009
【図９】
0006386851.tif 000010
【図１０】
0006386851.tif 000011
【図１１】
0006386851.tif 000012
【図１２】
0006386851.tif 000013
【図１３】
0006386851.tif 000014
【図１４】
0006386851.tif 000015
【図１５】
0006386851.tif 000016
【図１６】
0006386851.tif 000017
【図１７】
0006386851.tif 000018
【図１８】
0006386851.tif 000019
【図１９】
0006386851.tif 000020
【図２０】
0006386851.tif 000021
【図２１】
0006386851.tif 000022
【図２２】
0006386851.tif 000023
【図２３】
0006386851.tif 000024